(57)【要約】【課題】  排泄物の糞尿を栄養源として生息する微生物により排泄物を分解処理するようにし、排泄物の廃棄処理を不要とする。【解決手段】  移動体搭載用浄化機能付トイレは、移動体２０に搭乗する人が排泄物を排泄するための便器２と、この便器２を通して排泄された排泄物を貯留し、排泄物を微生物により分解処理する浄化槽６とが移動体２０に搭載される。浄化槽６内の菌床に生育する微生物の保温を、搭載している車輌２０のラジエーター３の排熱を、その冷却用循環の配管パイプを介して浄化槽６の均熱板１３に熱伝導し、加温させる。また、浄化槽６がその内部を攪拌する攪拌羽根９を有し、この攪拌羽根９を駆動する駆動用モータ７の運転を車輌用バッテリー電源１０、及び家庭用交流電源から制御器１１を介して切替運転する。【選択図】      図３
2005199791.tif 000002
【特許請求の範囲】
【請求項１】
移動体（２０）に搭載する移動体用トイレであって、その移動体（２０）に搭乗する人が排泄物を排泄するための便器（２）と、この便器（２）を通して排泄された排泄物を貯留し、排泄物を微生物により分解処理する浄化槽（６）とが移動体（２０）に搭載されることを特徴とする移動体搭載用浄化機能付トイレ。
【請求項２】
浄化槽（６）内の菌床に生育する微生物の保温を、搭載している移動体（２０）のラジエーター（３）の排熱を、その冷却用循環の配管パイプを介して浄化槽（６）の均熱板（１３）に熱伝導し、加温させることを特徴とする請求項１に記載の移動体搭載用浄化機能付トイレ。
【請求項３】
浄化槽（６）はその内部を攪拌する攪拌羽根（９）を有し、この攪拌羽根（９）を駆動する駆動用モータ（７）の運転を車輌用バッテリー電源（１０）、及び家庭用交流電源から制御器（１１）を介して切り替え運転できることを特徴とする請求項１に記載の移動体搭載用浄化機能付トイレ。
【発明の詳細な説明】
【技術分野】
【０００１】
本発明は、キャンピングカー、福祉用自動車、長距離移動バス、小型船舶等に搭載して使用する移動体搭載用トイレに関し、特に便器に加えて微生物により排泄物を分解、浄化させる浄化槽を備え、移動体に搭乗した人が排泄した排泄物をその移動体にて浄化処理することを可能とした移動体搭載用浄化機能付トイレに関する。
【背景技術】
【０００２】
一般にキャンピングカーには排泄物をその都度処理する簡易トイレが装備されている。しかし従来の簡易トイレは文字通り簡易的なものである。例えば特開平９−２１７１号公報には、人が排泄した排泄物の臭気を排気装置によって車外に排出するようにした簡易トイレが記載されている。また、実開平６−８１８４３号公報には、便器を通して糞尿タンクに排泄された排泄物を、自動車用エンジンから排出された熱をもっが排気ガスにより蒸発させ、その蒸発した水分を、煙突により糞尿タンクの外へ排出する簡易トイレが記載されている。
【０００３】
この種の車載用の簡易トイレは、排泄物を一時的に容器に溜め、停泊中に適当な公衆便所や施設の便所に廃棄し、便槽を洗浄し簡易トイレに装着する方式である。しかしながら、現実的には狭い移動体の空間内に排泄物があると、悪臭を完全に防止できない。そのため、適当な場所にて早急に排泄物を廃棄処理しなければならない。移動体での移動中に適当な廃棄施設が見つからない場合は、排泄物が狭い社内に長期にわたって存在する状態となるため、悪臭で旅の楽しさも半減する。
【特許文献１】特開平９−２１７１号公報
【特許文献２】実開平６−８１８４３号公報
【発明の開示】
【発明が解決しようとする課題】
【０００４】
本発明は前記のような従来の車載用簡易トイレにおける課題に鑑み、排泄物の糞尿を栄養源として生息する微生物により排泄物を分解処理するようにし、排泄物の廃棄処理を不要とすることを目的とする。より具体的には、排泄物を微生物により数時間で自動消滅できるようにして、排泄物の廃棄の手間を不要とし、車内での悪臭も低減され、例えば、快適なキャンプドライブ等を提供するものある。
【課題を解決するための手段】
【０００５】
本願の請求項１に係る発明は、移動体２０に搭乗する人が排泄物を排泄するための便器２と、この便器２を通して排泄された排泄物を貯留し、排泄物を微生物により分解処理する浄化槽６とが移動体２０に搭載されることを特徴とする移動体搭載用浄化機能付トイレである。
【０００６】
本願の請求項２に係る発明は、請求項１に記載の移動体搭載用浄化機能付トイレにおいて、浄化槽６内の菌床に生育する微生物の保温を、搭載している車輌２０のラジエーター３の排熱を、その冷却用循環の配管パイプを介して浄化槽６の均熱板１３に熱伝導し、加温させることを特徴とするものである。
【０００７】
本願の請求項３に係る発明は、請求項１または２に記載の移動体搭載用浄化機能付トイレにおいて、浄化槽６がその内部を攪拌する攪拌羽根９を有し、この攪拌羽根９を駆動する駆動用モータ７の運転を車輌用バッテリー電源１０、及び家庭用交流電源から制御器１１を介して切り替え運転できることを特徴とするものである。
【発明の効果】
【０００８】
本発明による移動体搭載用浄化機能付トイレは、トイレで排泄される排泄物を浄化槽６内において微生物により数時間で分解処理できるようにし、排泄物の廃棄の手間を不要とし、車内での悪臭も低減することが可能である。
特に菌床体に生息する微生物の生育条件に必要な適温を保持するため、従来のヒーター１３の熱源に加え、移動体のエンジンを冷却するラジエーター３の排熱利用を採り入れているため、浄化槽６の加温条件が良好である。一方、菌床の攪拌駆動用モータ７は、移動体用のバッテリー電源１０と外部の交流電源も併用できる制御器１１を有しているため、走行中でも停泊中でも使用可能である。この種自動消滅型の微生物を利用した浄化槽付トイレは、将来遠距離バスや介護用移動車、マリン関係など多用途にも展開可能である。
【発明を実施するための最良の形態】
【０００９】
以下、このような本発明の最良の実施の形態について、詳細に説明する。
移動体搭載用浄化機能付トイレの浄化槽は、通常熱伝導と腐蝕を考慮し、例えば、ステンレス等の材料で構成されている。この浄化槽内に微生物が生息する菌床を投入し、排泄物と温度と湿度を管理して運転できるようになっている。この浄化槽の底部に交流電源を使用して加温するヒーターが装備されている。また、このヒーターの熱伝導を良くするため、この上に均熱板が浄化槽と一体に固定されている。従って、浄化槽外部との熱伝導は良好である。本発明ではこの均熱板上にラジエーターよりの配管を蛇行させるように配置し、ラジエーターと接続されている。この配管の材質は、通常銅パイプで均熱板への熱伝導は良好である。従って運転走行中のみは、ヒーターの交流電源を使用せず、この配管よりの排熱温度のみで、浄化槽を加温し、菌床の微生物の適性温度を制御している。また、停泊中は、この排熱は使用できないので、交流電源によりヒーターを加熱し浄化槽温度を加温している。
【実施例】
【００１０】
以下、このような本発明の実施例について、図面を参照しながら具体例を挙げて詳細に説明する。
図１と図２は、本発明の一実施例を示すもので、浄化槽付トイレ１をキャンピングカーに搭載した例であり、図１平面図、図２は、その側面図である。移動体搭載用浄化機能付トイレ１を搭載する移動体２０としては、キャンピングカーの他に福祉車、工事作業車、小型船舶等を挙げることが出来る。
【００１１】
この移動体２０のキャビン２１には、車内に乗車している使用者の排泄物を微生物により、水と炭酸ガスに分解する微生物を利用した浄化槽付トイレ１が搭載してある。
図１及び図２において、２は便座用蓋を有する便器であり、６はその下で排泄物を受ける浄化槽６である。３はエンジン部冷却用ラジエーター部であり、このラジエーター部３を冷却する循環用冷却水のパイプ４が配管されている。また図示の実施例では、この配管パイプ４は、微生物を利用した浄化槽付トイレ１の浄化槽６まで配管されている。このトイレの臭気は排気用ダクト５を介して室外に排出される。２２は、移動体の屋根に設けた排気口であり、雨水浸入防止のキャップが設けられている。
【００１２】
図３は、浄化槽槽付トイレ１の運転ための電気、配管系統等を示すブロック図であり、図４は、微生物を利用した浄化槽付トイレ１の外観図である。図３のブロック図により本発明の一実施例による移動体搭載用浄化機能付トイレの仕組みを説明する。
微生物を利用した浄化槽付トイレ１の便器２の便座用蓋を開け、人が排便して浄化槽６の中に排泄物が浄化槽６内に排泄されると、一定時間をおいて駆動用モータ７が運転を始める。この時、浄化槽６内にあらかじめ投入されている菌床体８は攪拌羽根９により排泄物と一体となり攪拌される。これにより、排泄物と菌床体８との中に絶えず空気が送り込まれると共に、この空気が排泄物と菌床体８の隅々にまで行きわたる。これにより、排泄物の分解に有効な好気性の微生物が繁殖し、主として腐敗菌である嫌気性の微生物の繁殖が抑えられる。
【００１３】
通常、走行中の場合は、車輌用のバッテリー電源１０を介して駆動用モータ７が運転される。他方、停泊中や一時的に停車中で交流電源を利用できる場合には、差込プラグ１２により交流電源用を接続し、制御回路１１を介して直流電源に整流変換し、駆動用モータ７を運転することが出来る。
【００１４】
菌床体８の中に生育している微生物により、排泄物が水と炭酸ガスに分解され、処理される仕組みとなっている。この種微生物を利用した浄化槽付トイレ１では、微生物の生育条件を活発にするため、浄化槽６の外部に保温用のヒーター１３を入れ加温するのが通常である。図示の実施例ではこれに加えて、エンジン部冷却のラジエーター３に接続されている循環用冷却水の配管パイプ４が浄化槽６の底部外周に接触している均熱板１４の上に蛇行して配管されている。このため、排熱の熱伝導がより効果的に利用できる構造となっている。一方、前述したように交流電源で運転する場合は、差込プラグ１２より導入し運転できる。
【００１５】
図示の実施例の詳細な浄化槽６の構造と仕組みを図５、図６、図７にて説明する。
微生物を利用した浄化槽付トイレ１の便座用蓋２を開け、浄化槽６の中に搭乗車の排泄物を投入すると、一定時間を経て、駆動用モータ７が運転を開始する。この運転により、菌床攪拌用の攪拌羽根９が正転、逆転をくり返し、排泄物は苗床のチップと混入される。この菌床体８の中には、微生物が生存しており、適温、適湿な菌床と、糞や尿の排泄物を栄養源として活発に活動を始め、排泄物に含まれる有機物を水と炭酸ガスに分解する。これが微生物を利用した浄化槽付トイレ１の仕組みである。
【００１６】
図示の実施例は、この微生物を利用した浄化槽付トイレ１をキャンピングカーに搭載した例である。特にキャンピングカー搭載の利点を生かし、ラジエーター３の排熱を利用し、この循環用配管パイプ４を浄化槽６の底部の均熱板１４に接触させ、循環される温水の排熱利用で苗床の保温を維持できる構造になっている。この浄化槽６には、通常の加温用のヒーター１３が内蔵されており、菌床の微生物の生育適温になるよう浄化槽内の温度を制御している。また、この加温用ヒーター１３は、浄化槽６の熱伝導を良くするため、均熱板１４によりカバーされている。
【００１７】
浄化槽６と外枠１５との間には、断熱材１６が介在している。図示の実施例では、この均熱板１４の上に、更に前述の温水循環用配管パイプ４を接触させ、温水の排熱を吸収できる構造となっている。この配管パイプ４は、通常銅パイプでラジエーター３を介して循環されている。従って均熱板１４への熱伝導も良い。この構造を形成させ、走行中は浄化槽６の加温は、排熱循環用配管パイプ４の熱源を介して保温している。配管パイプ４は、ラジエーター３から均熱板１４の上に至り、そこを蛇行し、ラジエーター３へと戻るように配管されており、ラジエター３の冷却水が循環出来る配管構造となっている。
【００１８】
一方、停泊中で走行していないときに、近くに交流電源がある場合は、差込プラグ１２により交流電源に接続し、ヒーター１３の熱源により加温できる構造を有している。図示の実施例では、この駆動用モータ７は、バッテリー電源１０を使用し、制御回路を介して運転しているが、停泊中などで、交流電源の使用が可能な場所では交流電源を制御回路に導入し、整流変換の上、駆動用モータ７が運転できるようになっている。
【００１９】
この種の微生物を利用した浄化槽付トイレは、近年急速に見直され、原子力発電所内の特定管理地域で従事する人々へのトイレとか、高地及び公園等、排泄物の後処理に苦慮する場所で使用されてきた。しかしながら、キャンピングカーなどの移動車に於いては、浄化槽内の菌床に生息する微生物の生息条件を一定に保つため、微生物を利用した浄化槽の搭載は困難であった。
【００２０】
本発明では、走行中この浄化槽６の外部よりの保温を、ラジエーター３からの配管による排熱を利用し、均熱板１４を介して浄化槽温度を加温させる方式としている。この加温により、ヒーターを使用しなくても浄化槽温度は、微生物が生育可能温度まで十分保温できることを確認した。一方、停泊中では、交流電源を使用してヒーターを加熱し、保温できる構造となっている。また、駆動用モータは、交−直兼用で運転可能である。
【００２１】
前述の実施例は、微生物を利用した浄化槽付トイレを移動体２０としてのキャンピングカーに搭載摘要させたものである。そして、キャンピングカーに搭載しているラジエーター３の冷却用温水循環の配管パイプを延長し、浄化槽６を保温する均熱板１４に接触させ排熱利用をしている。この排熱利用で走行中の浄化槽加温を維持している。この排熱利用で、逆にラジエーターの熱変換は向上される。
【００２２】
停泊中でこの排熱が利用できない時間帯のみ交流電源を介し、ヒーター１３を加温をしている。一方、通常のキャンピングカーでは、直流電源に加えて、バックアップ用の交流電源も搭載している。従って、交流電源の引き込みが不可能の場合には、このバックアップ用の交流電源を一時的に使用して、加温できるようになっている。浄化槽６内の菌床を一定時間で攪拌する駆動用モータ７は、常時はバッテリー１０により運転するが、交流電源でも制御回路部で整流し運転できるようになっている。これらの構成により、本発明による微生物を利用した浄化槽付トイレは、用途向けに応じて取付け方式を改造することにより、小型船舶等のマリン関係や、遠距離走行するバス及び、介護用移動バスなどその用途と需要は今後大いに期待できる。
【図面の簡単な説明】
【００２３】
【図１】本発明の一実施例としての移動体搭載用浄化機能付トイレを搭載したキャンピングカーの屋根を一部切り欠いて示した平面図である。
【図２】同実施例としての移動体搭載用浄化機能付トイレを搭載したキャンピングカーのボディを一部切り欠いて示した側面図である。
【図３】同実施例としての移動体搭載用浄化機能付トイレの運転説明用ブロック図である。
【図４】同実施例としての移動体搭載用浄化機能付トイレの外観図である。
【図５】同実施例としての移動体搭載用浄化機能付トイレの側面図である。
【図６】同実施例としての移動体搭載用浄化機能付トイレの正面図である。
【図７】同実施例としての移動体搭載用浄化機能付トイレの浄化槽部分の拡大縦断側面図である。
【符号の説明】
【００２４】
１    微生物を利用した浄化槽付トイレ
２    便座用蓋
３    ラジエーター
４    冷却水循環用配管パイプ
５    排気用ダクト
６    浄化槽
７    駆動用モータ
８    菌床体
９    攪拌羽根
１０  運転用バッテリー
１１  運転用制御器
１２  交流電源用差込みプラグ
１３  加温用ヒーター
１４  均熱板
１５  外枠
１６  断熱材
【図１】
2005199791.tif 000003
【図２】
2005199791.tif 000004
【図３】
2005199791.tif 000005
【図４】
2005199791.tif 000006
【図５】
2005199791.tif 000007
【図６】
2005199791.tif 000008
【図７】
2005199791.tif 000009